(57)【要約】      （修正有）【課題】重ねた形状で自立可能なゴミ袋を提供すること。【解決手段】複数のポリエチレンシート１１を重ねた状態で袋状に一体成型し、自立可能に構成した。かように自立することから、ゴミ箱に比して小さいゴミ袋１０であっても、ゴミ箱内で自立することになり、使い勝手の良いものとなるのである。他方でゴミ箱に比して大きなゴミ袋を装着して、上端をゴミ箱の上縁部で折り返して装着することなく、ゴミ箱に装着可能となり、見栄えが良くなる。さらに、複数枚を重ねたうえで、袋状に一体成型しており、わざわざ使用者が複数枚のゴミ袋を重ねたうえでゴミ箱に装着するといった手間が省けるものである。【選択図】図１
0003199480.tif 000002
【実用新案登録請求の範囲】
【請求項１】
複数枚のポリエチレンシートを重ねた状態で袋状に一体成型し、自立可能にしたゴミ袋。
【請求項２】
ゴミ袋の上端に耳部を設けた請求項１記載のゴミ袋。
【請求項３】
耳部に凸部を設けた請求項２記載のゴミ袋。
【請求項４】
上部を折返した形態にした請求項１乃至３いずれかに記載のゴミ袋。
【請求項５】
請求項１乃至請求項４いずれかに記載されたゴミ袋の外周と略相似形の外周を有するゴミ箱。
【請求項６】
耳部を保持可能なホルダーを設けた請求項５に記載のゴミ箱。
【考案の詳細な説明】
【技術分野】
【０００１】
本考案は複数枚を重ねて自立可能にしたゴミ袋、及び当該ゴミ袋を装着可能なゴミ箱に関する。
【背景技術】
【０００２】
汎用のゴミ箱設置方法としては、ゴミ箱内にポリエチレン製のゴミ袋を口を開いて装着しておき、ゴミ袋が満杯になると大きめのゴミ袋にゴミを移し代え、あるいはゴミの詰まったゴミ袋ごと廃棄するのが一般的である。
【０００３】
特許文献１には複数枚のゴミ袋を重ねたうえで、一番外側のゴミ袋内に補強材として厚紙を装備したゴミ袋が開示されている。
【０００４】
特許文献２には複数枚のゴミ袋を重ねてゴミ箱に装着し、ゴミ袋の端部を固定具でゴミ箱に取付ける発明が開示されている。
【０００５】
特許文献３には複数枚のゴミ袋を重ねたうえでホルダーを有するゴミ箱に装着し、当該ホルダーにゴミ袋の耳部を装着した発明が開示されている。
【０００６】
特許文献４には複数枚のゴミ袋を重ねたうえで、保持具を有するゴミ箱内に装着し、更にゴミ箱の開口部にゴミ袋の上部を保持可能なカバーを被せた発明が開示されている。
【先行技術文献】
【特許文献】
【０００７】
【特許文献１】特開２００７−９１４６１号公報
【特許文献２】特開平９−３０９６０２号公報
【特許文献３】実開平６−５６００５号公報
【特許文献４】実開平５−６８９０６号公報
【考案の概要】
【考案が解決しようとする課題】
【０００８】
ゴミ箱にゴミ袋を入れて使用する場合には、ゴミ箱の大きさに比べゴミ袋が小さい時にはゴミ箱内に落ち込んでしまって使い勝手が悪く、かかる不都合を避けるため大きなゴミ袋を使用した場合にはゴミ袋がゴミ箱から大きくはみ出し、部屋の雰囲気を損ない、見栄えが悪くなるという問題点があった。
【０００９】
また、ゴミ袋を廃棄する度に、新たなゴミ袋をゴミ箱の装着することは面倒であった。かかる難点を解消するために上記各特許文献記載の発明・考案はゴミ袋を重ねておき、一枚づつ内側から廃棄するという手段を採用している。
【００１０】
しかし、ゴミ袋を一枚づつ重ねる作業、また、重ねたゴミ袋をゴミ箱に装着する作業は面倒である。更には、重ねたゴミ袋を内側から一枚づつ廃棄していく作業も、ゴミ袋同士がくっついてしまいがちであり、面倒なものになりがちである。
【００１１】
本考案は上記各種問題点を解消可能なゴミ袋、及び当該ゴミ袋を装着するゴミ箱を提供することを目的とする。
【課題を解決するための手段】
【００１２】
上記の目的を達成する本考案の構成は次の通りである。
【００１３】
（１）  請求項１に記載の考案は、複数のポリエチレンシートを重ねた状態で袋状に一体成型し、自立可能に構成した。
【００１４】
（２）  請求項２に記載の考案は、請求項１に記載のゴミ袋の上端に耳部を設けて構成した。
【００１５】
（３）  請求項３に記載の考案は、請求項２に記載のゴミ袋の耳部に凸部を設けて構成した。
【００１６】
（４）  請求項４に記載の考案は、請求項１乃至３いずれかに記載のゴミ袋において、上部を折り返した形態に構成した。
【００１７】
（５）  請求項５に記載の考案は、請求項１乃至請求項３に記載されたゴミ袋の外周と略相似形の外周を有するゴミ箱である。
【００１８】
（６）  請求項６に記載の考案は、請求項５に記載のゴミ箱において、耳部を保持可能なホルダーを設けて構成した。
【考案の効果】
【００１９】
上記のように構成される本考案が、如何に作用して課題を解決するかを図面を参照しながら概説する。
【００２０】
図１は請求項１に記載のゴミ袋１０の斜視図である。ゴミ袋１０は袋状のポリエチレンシート１１を複数枚重ねて一体成型してあり、図示されるようにゴミ袋１０のみで自立するものである。
【００２１】
かように自立することから図３に示すように、ゴミ箱４０に比して小さいゴミ袋１０であっても、ゴミ箱４０内で自立することになり、つまりはゴミ袋１０がゴミ箱４０内に落ち込んでしまうことがなく、使い勝手の良いものとなるのである。他方でゴミ箱に比して大きなゴミ袋を装着して、上端をゴミ箱の上縁部で折り返して装着するといった従来法を採用せずともゴミ袋をゴミ箱の装着可能となり、見栄えが悪くなるという従来の欠点の解消が可能となるのである。
【００２２】
また、本考案に係るゴミ袋はポリエチレンシートを複数枚を重ねたうえで、袋状に一体成型しており、わざわざ使用者が複数枚のゴミ袋を重ねたうえでゴミ箱に装着するといった手間が省けるものである。
【００２３】
そして、ごみがたまったゴミ袋を廃棄する際には、図２に示すように一番内側のゴミ袋１１を引き剥がして廃棄するものである。
【００２４】
この際、隣接するゴミ袋１１がくっついて引き剥がされてしまうことを防ぐために、請求項３に記載のゴミ袋２０は、図８に示すように耳部２１に複数の凸部２２を設けてある。この凸部２２により隣接する耳部２１同士が非接触状態となり、ゴミ袋同士がくっつくことを可及的に抑制可能となるのである。
【００２５】
請求項６に記載のゴミ箱５０には、図５に示すように耳部２１を保持可能なホルダー３０が設けてある。これは内側から順次ゴミ袋を廃棄していくと、枚数が少なくなった場合ゴミ袋が自立することができなくなるが、かかる際にゴミ袋がゴミ箱内に落ち込んでしまうことを防ぐためのものである。
【００２６】
図１０に示すように、請求項４に記載のゴミ袋７０では、その上部に折返し部７１が設けてあり、この折返し部７１にゴミ箱４０の上端を差し込むことで、ゴミ箱４０に装着するものである。この折返し部７１により係止されるため、ゴミ袋７０の枚数が減っても、ゴミ箱内にずれ落ちることを可及的に抑制可能となる。
【図面の簡単な説明】
【００２７】
【図１】請求項１に記載のゴミ袋の斜視図
【図２】ゴミ袋を取り出す際の説明図
【図３】ゴミ箱に装着する際の説明図
【図４】耳部を有するゴミ袋の斜視図
【図５】請求項６に記載のゴミ箱の斜視図
【図６】ゴミ箱にゴミ袋を装着した状態の斜視図
【図７】ホルダーに耳部を装着した状態の拡大図
【図８】耳部の拡大図
【図９】本考案にかかるゴミ袋を成型する際の説明図
【図１０】請求項４に記載のゴミ袋をゴミ箱に装着する際の説明図
【図１１】請求項２に記載のゴミ袋の斜視図
【図１２】ゴミ袋を取り出す際の説明図
【考案を実施するための形態】
【００２８】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２９】
本考案に係るゴミ袋は、図９に示すように厚さ０．０３ｍｍ程度のポリエチレンシートを１００枚ほど重ねて真空成型機でゴミ箱相似形に一体成型し、自立可能に構成してある。すなわち、複数枚重ねたポリエチレンシート１１をヒーター６０で加熱し、木型或いは金型６１に被せ、空気孔６２を介して真空ポンプ６３により吸着成型を行うもである。成型後はトリミングと折返し加工を行い、製品を得るものである。
【００３０】
他にはプレス成型や圧空成型、その他の成型方法を利用可能である。
【００３１】
上記の通り成型され自立可能になったゴミ袋は、図３に示されるようにゴミ袋と略相似形のゴミ箱４０内に装着される。
【００３２】
請求項２に記載のゴミ袋２０は、図４に示すように括り代である耳部２１が上端部に設けてあり、請求項３に記載の考案においては、図８に示すように、この耳部２１に複数の凸部２２・・が設けてある。
【００３３】
なお、図４においては開口部が四角形状のゴミ袋を図示してあるが、むろん係る限定を受けるわけではなく、図１１に示すように円形開口部のゴミ袋を、図１２に示すように順次内側から取り出し可能に形成しても構わない。
【００３４】
請求項６に記載のゴミ箱５０には、耳部２１を保持可能なホルダー３０が設けてある。
【００３５】
図５や図７に示すように、このホルダー３０は耳部２１を収納する収納部３１と、耳部２１に被せるカバー部３２とにより成る。
【００３６】
収納部３１はゴミ箱５０の上端縁から下部に向かって垂設された二本の凸条３１aより成るものであり、その下端にはヒンジ３３が設けてある。このヒンジ３３を介して収納部３１とカバー部３２は開閉自在に連結されている。
【００３７】
カバー部３２の、ヒンジ３３と逆側端縁には、爪部３４が設けてある。
【００３８】
また、カバー部３２の略中央には押圧部材３５が設けてある。カバー部３２と押圧部材３５との間には押しばね３６が介在させてあり、カバー部３２を閉じた際に、この押圧部材３５で耳部２１を押圧保持するものである。
【００３９】
詳述すれば、図６に示すように、ゴミ箱５０内にゴミ袋２０を装着し、耳部２１を収納部３１内に収納する。かかる状態でカバー部３２を被せ、爪部３４をゴミ箱５０の上端縁部に引っ掛けることで、カバー部３２を閉じる。この際押圧部材３５が耳部２１を押圧保持するのである。
【００４０】
なお、ホルダー３０は図５においては二箇所設けられているが、むろん係る限定を受けるものではなく、１箇所乃至複数箇所設けても良い。また、ゴミ箱やゴミ袋の開口部形状は、図示された円形や四角形に限定されるものではなく、大きさも限定されるものではない。
【符号の説明】
【００４１】
１０，２０・・ゴミ袋
１１・・ポリエチレンシート
２１・・耳部
２２・・凸部
３０・・ホルダー
４０，５０・・ゴミ箱
【図１】
0003199480.tif 000003
【図２】
0003199480.tif 000004
【図３】
0003199480.tif 000005
【図４】
0003199480.tif 000006
【図５】
0003199480.tif 000007
【図６】
0003199480.tif 000008
【図７】
0003199480.tif 000009
【図８】
0003199480.tif 000010
【図９】
0003199480.tif 000011
【図１０】
0003199480.tif 000012
【図１１】
0003199480.tif 000013
【図１２】
0003199480.tif 000014
【手続補正書】
【提出日】平成27年6月23日(2015.6.23)
【手続補正１】
【補正対象書類名】実用新案登録請求の範囲
【補正対象項目名】全文
【補正方法】変更
【補正の内容】
【実用新案登録請求の範囲】
【請求項１】
複数枚のポリエチレンシートを重ねた状態で袋状に一体成型し、自立可能にしたゴミ袋。
【請求項２】
ゴミ袋の上端に耳部を設けた請求項１記載のゴミ袋。
【請求項３】
耳部に凸部を設けた請求項２記載のゴミ袋。
【請求項４】
上部を折返した形態にした請求項１乃至３いずれかに記載のゴミ袋。
【請求項５】
請求項１乃至請求項４いずれかに記載されたゴミ袋がその中に装着されたゴミ箱であって、当該ゴミ袋の外周と略相似形の外周を有するゴミ箱。
【請求項６】
耳部を保持可能なホルダーを設けた請求項５に記載のゴミ箱。